(57)【要約】  基板と、前記基板を介して記録用のレーザ光を照射することによって情報を記録するための第１記録層と、前記レーザ光を前記基板および前記第１記録層を介して記録用のレーザ光を照射することによって情報を記録するための第２記録層とを備えており、前記第１記録層は、前記第１記録層を前記第２記録層と同一の材料から構成したと仮定した場合の光透過率に比較して、高い光透過率を持つ材料を含んでなる。
2005031728.tif 000002
【特許請求の範囲】
【請求項１】
基板と、
前記基板を介して記録用のレーザ光を照射することによって情報を記録するための第１記録層と、
前記レーザ光を前記基板および前記第１記録層を介して記録用のレーザ光を照射することによって情報を記録するための第２記録層と
を備えており、
前記第１記録層は、前記第１記録層を前記第２記録層と同一の材料から構成したと仮定した場合の光透過率に比較して、高い光透過率を持つ材料を含んでなることを特徴とする情報記録媒体。
【請求項２】
前記第１及び第２記録層は、相互に異なる材料を含んで構成されていることを特徴とする請求の範囲第１項に記載の情報記録媒体。
【請求項３】
前記第１及び第２記録層は、前記材料として、相互に異なる色素膜を含んで構成されていることを特徴とする請求の範囲第２項に記載の情報記録媒体。
【請求項４】
前記第１記録層における前記光透過率及び光吸収率と前記第２記録層における前記光透過率及び光吸収率とは、前記第１及び第２記録層が夫々０．１２〜０．３０内の光反射率を奏する組合せとなるように設定されていることを特徴とする請求の範囲第１項に記載の情報記録媒体。
【請求項５】
前記第１記録層における前記光透過率及び光吸収率と前記第２記録層における前記光透過率及び光吸収率とは、前記第１及び第２記録層が夫々０．１８〜０．３０内の光反射率を奏する組合せとなるように設定されていることを特徴とする請求の範囲第１項に記載の情報記録媒体。
【請求項６】
前記第１記録層は、前記第１記録層を前記第２記録層と同一の材料から構成したと仮定した場合の光吸収率に比較して、低い光吸収率を持つ材料を含んでなることを特徴とする請求の範囲第１項に記載の情報記録媒体。
【請求項７】
前記第１記録層は、前記第２記録層の光透過率に比べて、高い光透過率を持つ材料を含んでなることを特徴とする請求の範囲第１項に記載の情報記録媒体。
【請求項８】
前記第１記録層における複素屈折率をＮ１＝ｎ１−ｉｋ１（但し、ｎ１及びｋ１は前記第１記録層における光学定数）とし、前記第２記録層における複素屈折率をＮ２＝ｎ２−ｉｋ２（但し、ｎ２及びｋ２は前記第２記録層における光学定数）とするとき、
前記ｎ１、ｋ１、ｎ２及びｋ２は、前記第１及び第２記録層が夫々、０．１２〜０．３０内の光反射率を奏する組合せとなるように設定されていることを特徴とする請求の範囲第１項に記載の情報記録媒体。
【請求項９】
前記第１記録層における複素屈折率をＮ１＝ｎ１−ｉｋ１（但し、ｎ１及びｋ１は前記第１記録層における光学定数）とし、前記第２記録層における複素屈折率をＮ２＝ｎ２−ｉｋ２（但し、ｎ２及びｋ２は前記第２記録層における光学定数）とするとき、
前記ｎ１、ｋ１、ｎ２及びｋ２は、前記第１及び第２記録層が夫々、０．１８〜０．３０内の光反射率を奏する組合せとなるように設定されていることを特徴とする請求の範囲第１項に記載の情報記録媒体。
【発明の詳細な説明】
【技術分野】
【０００１】
本発明は、例えばＤＶＤ等の情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１、２等に記載されているように、同一基板上に複数の記録層が積層されてなる多層型若しくはダブルレイヤ又はマルチプルレイヤ型の光ディスク等も開発されている。より具体的には、二層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような二層型の光ディスクを記録する、ＣＤレコーダ等の情報記録装置では、Ｌ０層に対して記録用のレーザ光を集光することで、Ｌ０層に対して情報を加熱等による非可逆変化記録方式や書換え可能方式で記録し、Ｌ１層に対して該レーザ光を集光することで、Ｌ１層に対して情報を加熱等による非可逆変化記録方式や書換え可能方式で記録することになる。【０００３】
【特許文献１】特開２０００−３１１３４６号公報
【特許文献２】特開２００１−２３２３７号公報
【発明の開示】
【発明が解決しようとする課題】
【０００４】
しかしながら、このような多層型の情報記録媒体の場合、特にＬ１層に情報を記録する際には、その前面側（即ち、レーザ光の照射側から見て手前側）に位置するＬ０層や半透過反射膜を介して、レーザ光がＬ１層に照射されることになるので、Ｌ０層における光吸収特性や半透過反射膜における光反射特性に応じて、Ｌ１層に至るレーザ光は、基板面に照射させた時点と比べて顕著に弱められる。逆に言えば、一層型の情報記録媒体に情報を記録する場合に比較して、相応に強力なレーザ光を照射することが必要となる。更に、Ｌ１層から情報を再生する際にも、再生用のレーザ光は、Ｌ０層や半透過反射膜を介して、Ｌ１層に照射されることになるので、その反射光は弱められてしまう。他方で、Ｌ０層に情報を記録する際には、その背後側（即ち、レーザ光の照射側から見て奥側）に位置する半透過反射膜を介して光が後方へ抜けるため、温度上昇により情報ピット或いは記録マークが記録されるＬ０層における該温度上昇が、与えられたレーザ光のエネルギに対して顕著に弱められる。逆に言えば、記録膜の奥側に反射膜を有する一層型の情報記録媒体に情報を記録する場合に比較して、相応に強力なレーザ光を照射することが必要となる。更に、Ｌ０層から情報を再生する際にも、再生用のレーザ光は、半透過反射膜を介して光が後方へ抜けるため、その反射光は弱められてしまう。そして、半透過反射層における反射率を変更することによって、Ｌ０層に割り振られるレーザ光エネルギと、Ｌ１層に割り振られるレーザ光エネルギとを調整することは可能であるものの、Ｌ０層とＬ１層との両者に対して、記録時に適切なレーザ光エネルギを与えつつ、同一層構造にて再生時に適切な反射率及びジッター等の信号品質を確保することは容易でないという問題点がある。特に、当該技術分野においては、実践上、例えばＣＤ−ＲがＣＤ−ＲＯＭと互換性があるのと同様に或いは例えばＤＶＤ−ＲがＤＶＤ−ＲＯＭと互換性があるのと同様に、上述の如き二層型或いは多層型の情報記録媒体においても、ＤＶＤ−ＲＯＭ等の既存の情報記録媒体と互換性を残すことが望まれる。すると、係る互換性確保のために要求される、例えば１８〜３０％といったＤＶＤ−ＲＯＭ等で要求されている反射率についての好適範囲（或いは、規格範囲）や、例えば８％以下といったＤＶＤ−ＲＯＭの規格等で定められているジッターについての好適範囲（或いは、規格範囲）を、Ｌ０層とＬ１層との両者に対して同時に満足させることは、非常に困難にならざるを得ないという技術的問題点がある。言い換えれば、両方の記録層に照射されるレーザパワーを確保するためには、同一基板上に従来の記録層を複数積層するのでは、これらの反射率等の要求を満足させるにあたっての設計上の選択肢が殆ど狭くなってしまうのである。【０００５】
本発明は、例えば上述した従来の問題点に鑑みなされたものであり、例えば各記録層について、適度なパワーを有するレーザ光を用いて、情報の記録や再生が可能である多層型の情報記録媒体を提供することを課題とする。
【課題を解決するための手段】
【０００６】
本発明の情報記録媒体は上記課題を解決するために、基板と、前記基板を介して記録用のレーザ光を照射することによって情報を記録するための第１記録層と、前記レーザ光を前記基板および前記第１記録層を介して記録用のレーザ光を照射することによって情報を記録するための第２記録層とを備えており、前記第１記録層は、前記第１記録層を前記第２記録層と同一の材料から構成したと仮定した場合の光透過率に比較して、高い光透過率を持つ材料を含んでなる。【０００７】
本発明の作用及び利得は次に説明する実施の形態から明らかにされる。
【図面の簡単な説明】
【０００８】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の実施例に係る光ディスクの記録面における部分拡大斜視図である。
【図３】本実施例に係るシミュレーション結果における、第１記録層のＬ０反射率を光学定数ｎ及びｋの座標上で示したグラフである。
【図４】本実施例に係るシミュレーション結果における、第１記録層のＬ０透過率を光学定数ｎ及びｋの座標上で示したグラフである。
【図５】本実施例に係るシミュレーション結果における、第２記録層のＬ１反射率を光学定数ｎ及びｋの座標上で示したグラフである。
【図６】本実施例に係るシミュレーション結果における、第１及び第２記録層における反射率が共に、ＤＶＤ−ＲＯＭの好適範囲に入るための光学定数ｎ、ｋの組合せの領域を、白抜きの領域として示したグラフである。
【図７】本発明の実施例に係る、第１記録層におけるＬ０反射率と光学定数ｎ及びｋとを変化させた場合のシミュレーション結果における、第２記録層のＬ１反射率を光学定数ｎ、ｋの座標軸上で示したグラフ（その１）である。
【図８】本発明の実施例に係る、第１記録層におけるＬ０反射率と光学定数ｎ及びｋとを変化させた場合のシミュレーション結果における、第２記録層のＬ１反射率を光学定数ｎ、ｋの座標軸上で示したグラフ（その２）である。
【図９】本発明の実施例に係る、第１記録層におけるＬ０反射率と光学定数ｎ及びｋとを変化させた場合のシミュレーション結果における、第２記録層のＬ１反射率を光学定数ｎ、ｋの座標軸上で示したグラフ（その３）である。
【図１０】本発明の実施例に係る、第１記録層におけるＬ０反射率と光学定数ｎ及びｋとを変化させた場合のシミュレーション結果における、第２記録層のＬ１反射率を光学定数ｎ、ｋの座標軸上で示したグラフ（その４）である。
【図１１】本発明の実施例に係る、第１記録層におけるＬ０反射率と光学定数ｎ及びｋとを変化させた場合のシミュレーション結果における、第２記録層のＬ１反射率を光学定数ｎ、ｋの座標軸上で示したグラフ（その５）である。
【図１２】本発明の実施例に係る情報記録再生装置３００のブロック図である。
【符号の説明】
【０００９】
１…センターホール、１０…トラック、１１…ＥＣＣブロック、１００…光ディスク、１０１…リードインエリア、１０２…データゾーン、１０３…リードアウトエリア、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…プロセッサ（ドライブ制御手段）、３５５…メモリ、ＧＴ…グルーブトラック、ＬＴ…ランドトラック、ＬＢ…レーザ光、ＬＰ…ランドプリピット
【発明を実施するための最良の形態】
【００１０】
本発明では、基板と、前記基板を介して記録用のレーザ光を照射することによって情報を記録するための第１記録層と、前記レーザ光を前記基板および前記第１記録層を介して記録用のレーザ光を照射することによって情報を記録するための第２記録層とを備えており、前記第１記録層は、前記第１記録層を前記第２記録層と同一の材料から構成したと仮定した場合の光透過率に比較して、高い光透過率を持つ材料（例えば、材料膜）を含んでなる。【００１１】
本発明によれば、第１及び第２記録層を含む二層以上の記録層が積層されてなる、二層型又は多層型の情報記録媒体において、第１及び第２記録層は夫々、例えば、色素膜等の材料を含んだ加熱等による非可逆変化記録型の記録層からなる。或いは、相変化型の記録層からなってもよい。従って、当該情報記録媒体に対して、その第１記録層に情報を記録する際には、記録用のレーザ光が第１記録層に集光される。このとき、レーザ光は、例えばガラス基板、透明樹脂基板等の透明である基板を介して第１記録層に集光されてもよい。これにより、第１記録層には、例えば記録ピット或いは記録マークが記録される。更に、当該情報記録媒体に対して、その第２記録層に情報を記録する際には、例えば透明である基板及び第１記録層等を介して、記録用のレーザ光が第２記録層に集光される。これにより、第２記録層には、例えば記録ピット或いは記録マークが記録される。【００１２】
本発明では特に、第１記録層は、第１記録層を第２記録層と同一の材料から構成したと仮定した場合の光透過率に比較して、高い光透過率を持つ材料を含む。尚、本発明に係る「第１記録層における光透過率」とは、第１記録層における、その層内部及びその界面における光透過率を意味し、層自体における光吸収率等の光学特性の他、その界面における光反射率或いは光透過率等の光学特性にも依存するものである。【００１３】
このため、本発明によれば、第１記録層と第２記録層とを同一材料から構成した場合と比較して、第２記録層に対してレーザ光を照射する際に、第１記録層に吸収されるレーザ光エネルギが低減される。これに応じて、第２記録層に到達するレーザ光エネルギは、増大される。よって、第２記録層に記録を行なうために必要なレーザ光は、相対的に小さくて済む。他方で、第２記録層から情報を再生する際、再生用のレーザ光についても、第１記録層に吸収されるレーザ光エネルギは低減されるので、第２記録層を再生するために必要なレーザ光は、相対的に小さくて済む。更に、本発明によれば、背景技術の如く第１記録層を第２記録層と同一の材料から構成して両者間に積層された半透過反射膜における透過率のみによってレーザ光エネルギの両者間における配分を概ね行なう場合に比較すると、設計上の選択肢が格段に増大し、第１及び第２記録層の夫々について、記録時に適切なレーザ光エネルギを与えつつ且つ同一層構造にて再生時に適切な反射率及びジッター等の信号品質を確保することが容易となる。従ってまた、ＤＶＤ−ＲＯＭ等の既存の情報記録媒体と互換性確保のために要求される、ＤＶＤ−ＲＯＭ等の既存の情報記録媒体で要求されている反射率についての好適範囲やジッターについての好適範囲を、第１及び第２記録層の両者に対して同時に満足させることも比較的容易にして可能となる。【００１４】
以上の結果、本発明によれば、各記録層について、適度なパワーを有するレーザ光を用いて、情報の記録や再生が可能となり、しかも、例えばＤＶＤ−ＲがＤＶＤ−ＲＯＭと互換性があるのと同様に、当該二層型或いは多層型の情報記録媒体においても、ＤＶＤ−ＲＯＭ等の既存の情報記録媒体と互換性があるように構成することも可能となる。【００１５】
本発明の一の態様では、前記第１及び第２記録層は、相互に異なる材料を含んで構成されている。【００１６】
この態様によれば、相互に異なる材料を用いて第１及び第２記録層を形成すれば、それらの光透過率に差を設けることができ、比較的容易に上述した本発明が有する各種利益を享受することができる。【００１７】
尚、第１及び第２記録層に用いられる材料として、例えば、後述する色素膜等の加熱等による非可逆変化記録型の記録層を構成する材料を用いてもよい。或いは、第１及び第２記録層は夫々、例えば相変化型の記録用の材料を用いてもよい。いずれの材料を用いても、第１記録層における光透過率を低減することで、第２記録層に到達するレーザ光エネルギを増大させるという作用、更にこれに付随する効果は相応に得られる。尚、後述する第１及び第２記録層以外の他の一又は複数の記録層についても同様に加熱等による非可逆変化記録型の記録用の材料からなってよいし、相変化型の記録用の材料からなってもよい。【００１８】
上述の如く相互に異なる材料を含んで第１及び第２記録層が構成されている態様では、前記第１及び第２記録層は、前記材料として、相互に異なる色素膜を含んで構成されている。【００１９】
このように構成すれば、例えば、インドレニン系ヘプタメチンシアニン、アゾ系有機色素、塩形成シアニン色素を含んでなる色素膜を利用して、加熱等による非可逆変化記録型、即ちリードワンス型の記録を好適に行える情報記録媒体を実現できる。このような色素膜における組成或いは成分を変えれば、第１及び第２記録層における光透過率や光吸収率、或いは後述する光学定数ｎ１、ｋ１、ｎ２及びｋ２等を変えられる。例えば、市販の色素膜としては、ｎ＝２．１０且つｋ＝０．０５、ｎ＝２．２５且つｋ＝０．０９、ｎ＝２．３５且つｋ＝０．１２、ｎ＝２．６８且つｋ＝０．１６等々の各種色素膜が存在しており、これらにおける組成或いは成分等の調整は、上述した本発明独自の光学特性を有する第１及び第２記録層を構築できるように、経験的又は実験的に実施すればよい。【００２０】
本発明の他の態様では、前記第１記録層における前記光透過率及び光吸収率と前記第２記録層における前記光透過率及び光吸収率とは、前記第１及び第２記録層が夫々予め設定された許容範囲（より好ましくは、好適範囲）内の光反射率を奏する組合せとなるように、設定されている。【００２１】
この態様によれば、第１及び第２記録層は夫々、例えば光反射率１２〜３０％など許容範囲内の光反射率（より好ましくは、１８％〜３０％など好適範囲内の光反射率）を奏することになるので、ＤＶＤ−ＲＯＭ等の既存の情報記録媒体との互換性が確保される。このような第１記録層における光透過率及び光吸収率と、第２記録層における光透過率及び光吸収率との組合せは、実験的、経験的又は理論的に、若しくは理論演算或いはシミュレーション等により、設定すればよい。【００２２】
本発明の他の態様では、前記第１記録層の光吸収率は、前記第１記録層を前記第２記録層と同一の材料から構成したと仮定した場合に比較して低い。【００２３】
この態様によれば、第１記録層と第２記録層とを同一材料から構成した場合と比較して、第２記録層に到達するレーザ光エネルギを（第１記録層における光吸収を低減することで）増大させることが可能となる。設計上の選択肢についても、より増大する。【００２４】
本発明の他の態様では、前記第１記録層は、前記第２記録層の光透過率に比べて、高い光透過率を持つ材料を含んでなる。【００２５】
この態様によれば、第１記録層における光透過率は、第２記録層における光透過率と比べて高い。例えば、第１記録層を構成する材料の一具体例たる色素膜における単位膜厚当りの光透過率は、第２記録層を構成する色素膜における単位膜厚当りの光透過率よりも高い。或いは例えば、第１記録層を構成する色素膜が相対的に薄く且つ第２記録層を構成する色素膜が相対的に厚いことで、第１記録層における光透過率は、第２記録層における光透過率と比べて高くされる。尚、例えば、これら第１及び第２記録層間で、それらの組成或いは成分が相互に異なり且つ層厚についても相互に異なるように構成することも可能である。【００２６】
このため、本発明によれば、第１記録層及び第２記録層が相互に同一の光透過率を有する場合と比較して、第２記録層に対してレーザ光を照射する際に、第１記録層に吸収されるレーザ光エネルギが低減される。このため、上述した本発明と同様の利益を享受することができる。【００２７】
本発明の他の態様では、前記第１記録層における複素屈折率をＮ１＝ｎ１−ｉｋ１（但し、ｎ１及びｋ１は前記第１記録層における光学定数）とし、前記第２記録層における複素屈折率をＮ２＝ｎ２−ｉｋ２（但し、ｎ２及びｋ２は前記第２記録層における光学定数）とするとき、前記ｎ１、ｋ１、ｎ２及びｋ２は、前記第１及び第２記録層が夫々、予め設定された許容範囲内（より好ましくは、好適範囲内）の反射率を奏する組合せとなるように設定されている。【００２８】
この態様によれば、第１及び第２記録層は夫々、例えば光反射率１２〜３０％など許容範囲内の光反射率（より好ましくは、１８％〜３０％など好適範囲内の光反射率）を奏することになるので、ＤＶＤ−ＲＯＭ等の既存の情報記録媒体との互換性が確保される。このような第１及び第２記録層における光学定数ｎ１、ｋ１、ｎ２及びｋ２の組合せは、実験的、経験的又は理論的に、若しくは理論演算或いはシミュレーション等により、設定すればよい。【００２９】
この態様では、前記ｎ１、ｋ１、ｎ２及びｋ２は、予め設定された好適範囲内のジッターを奏する組合せとなるように設定されてもよい。【００３０】
このように構成すれば、第１及び第２記録層は夫々、例えばジッターが８％以下など好適範囲内のジッターを奏することになるので、ＤＶＤ−ＲＯＭ等の既存の情報記録媒体との互換性が確保される。このような第１及び第２記録層における光学定数ｎ１、ｋ１、ｎ２及びｋ２の組合せは、実験的、経験的又は理論的に、若しくは理論演算或いはシミュレーション等により、設定すればよい。このように光反射率とジッターとの二つのパラメータを同時に夫々許容範囲内（より好ましくは、好適範囲内）にすることは一般には困難であるが、本発明では、例えば半透過反射膜における光反射率のみならず、第１及び第２記録層における光学定数ｎ１、ｋ１、ｎ２及びｋ２等をも調整するので、このような許容範囲内の光反射率（より好ましくは、好適範囲内の光反射率）及びジッターを奏する組合せを得ることは、比較的容易である。【００３１】
尚、第１記録層に情報を記録する際には、その背後側へと、或いは背後側に位置する半透過反射膜を介して背後側へとレーザ光が抜けるため、例えば温度上昇により情報ピット或いは記録マークが記録される記録層における該温度上昇が、与えられたレーザ光エネルギに対して弱められる。従って、第１記録層における透過率をむやみに高めることは、第１記録層についての記録や再生時に必要となるレーザ光パワーが上昇することを意味する。よって上述のように第１及び第２記録層の両者における光透過や光吸収率を設定すること或いは光学定数ｎ１、ｋ１、ｎ２及びｋ２を設定することは、第１及び第２記録層の双方について記録や再生時に必要となるレーザ光パワーを抑える観点からも大変有利である。【００３２】
本発明の他の態様では、前記第１記録層と前記第２記録層との間に積層された半透過反射膜と、前記第２記録層の奥側（即ち、前記レーザ光を照射する側から見て前記第１記録層よりも奥側）に積層された反射膜とを更に備える。【００３３】
この態様によれば、二層型の情報記録媒体として構築され、第１記録層に情報を記録する際には、例えば基板を介して、記録用のレーザ光が第１記録層に集光される。このレーザ光は、第１記録層の背後に、好ましくは隣接配置された半透過反射膜により部分的に反射されることで、第１記録層にレーザ光エネルギが集中するのが補助される。これにより、第１記録層には、例えば色素膜の温度上昇によって、記録ピット或いは記録マークが記録される。更に、当該情報記録媒体に対して、その第２記録層に情報を記録する際には、基板、第１記録層及び半透過反射膜等を介して、記録用のレーザ光が第２記録層に集光される。このレーザ光は、第２記録層の背後に好ましくは隣接配置された反射膜により反射されることで、第２記録層にレーザ光エネルギが集中するのが補助される。これにより、第２記録層には、例えば色素膜の温度上昇によって、例えば記録ピット或いは記録マークが記録される。他方で、第１記録層から情報を再生する際には、基板を介して、再生用のレーザ光が第１記録層に照射される。このレーザ光は、半透過反射膜により部分的に反射されることで、第１記録層に記録された記録ピット或いは記録マークに応じて変調された反射光として、光ピックアップにより検出される。更に、当該情報記録媒体に対して、その第２記録層から情報を再生する際には、基板、第１記録層及び半透過反射膜等を介して、記録用のレーザ光が第２記録層に照射される。このレーザ光は、反射膜により反射されることで、第２記録層に記録された記録ピット或いは記録マークに応じて変調された反射光として、光ピックアップにより検出される。【００３４】
以上のようにこの態様によれば、第１及び第２記憶層に対する情報の記録及び再生を、半透過反射膜及び反射膜を利用して良好に行える。特に、背景技術の如く第１記録層を第２記録層と同一の材料から構成して両者間に積層された半透過反射膜における透過率のみによってレーザ光エネルギの両者間における配分を概ね行なう場合に比較すると、設計上の選択肢が格段に増大する。【００３５】
尚、本発明に係る「反射膜」とは、例えば所定値以上の膜厚を有するアルミニウム合金などからなる金属膜等の、その表面単体における光反射率が例えば９９％など５０％を超えて１００％に近いような高い光反射率を有する膜を意味する。このような反射膜としては、既存或いは公知の各種反射膜を採用可能である。また、本発明に係る「半透過反射膜」とは、例えば反射膜よりも膜厚の薄い反射膜と同一組成の又は異なる組成の金属膜等の、その表面単体における光反射率が例えば５０％など、０％よりも明らかに大きく且つ１００％よりも明らかに小さい光反射率を有する膜を意味する。このような半透過反射膜としては、既存或いは公知の各種半透過反射膜を採用可能である。【００３６】
この半透過反射膜を備えた態様では、前記第１記録層及び前記半透過反射膜の光吸収率は、前記第１記録層を前記第２記録層と同一の材料から構成したと仮定した場合に比較して低いように構成してもよい。【００３７】
この態様によれば、第１記録層と第２記録層とを同一材料から構成した場合と比較して、第１記録層及び半透過反射膜における光吸収を低減することで、第２記録層に到達するレーザ光エネルギを増大させることが可能となる。更に、半透過反射膜及び反射膜の光吸収率を調整可能とすることで、設計上の選択肢も一層増大する。【００３８】
この半透過反射膜を備えた態様では、前記第１記録層及び前記半透過反射膜の光吸収率は、前記第２記録層及び前記反射膜の光吸収率に比較して低いように構成してもよい。【００３９】
このように構成すれば、第１記録層及び第２記録層を相互に同一の光吸収率を有するように構成した場合と比較して、第２記録層に到達するレーザ光エネルギを、第１記録層及び半透過反射膜の光吸収を低減することで、増大させることが可能となる。更に、半透過反射膜及び反射膜の光吸収率を調整可能とすることで、設計上の選択肢も一層増大する。【００４０】
本発明の他の態様では、前記第２記録層よりも前記奥側に積層されており且つ前記第１及び第２記録層を介して前記レーザ光を照射することによって情報を記録するための他の一又は複数の記録層を更に備える。【００４１】
この態様によれば、第１及び第２記録層を含む三層以上の記録層が積層されてなる、多層型の情報記録媒体において、例えば、色素膜等の破壊書き込み型の記録層からなる各記録層に対して、記録用のレーザ光の照射によって情報の記録が可能となる。そして、奥側の記録層に対しても、十分なレーザ光が到達するように、その手前側に位置する一又は複数の記録層における光透過率を第１記録層における光透過率の如くに高くすることで、各記録層について、適度なパワーを有するレーザ光を用いて、情報の記録や再生が可能となる。【００４２】
特に前述した半透過反射膜を備えた態様では、前記反射膜に代えて他の半透過反射膜を備えており、前記他の半透過反射膜よりも前記奥側に積層されており且つ前記第１記録層、前記半透過反射膜、前記第２記録層及び前記他の半透過反射膜を介して前記レーザ光を照射することによって情報を記録するための他の一又は複数の記録層を更に備えてもよい。【００４３】
このように構成すれば、第１及び第２記録層を含む三層以上の記録層が半透過反射膜を介して積層されてなる、多層型の情報記録媒体において、例えば、色素膜等の加熱等による非可逆変化記録型の記録層からなる各記録層に対して、記録用のレーザ光の照射によって情報の記録が可能となる。【００４４】
この態様では、前記第１記録層における前記光透過率及び前記光吸収率と前記第２記録層における前記光透過率及び前記光吸収率とは、予め設定された好適範囲内のジッターを奏する組合せとなるように、設定されてもよい。【００４５】
このように構成すれば、第１及び第２記録層は夫々、例えばジッターが８％以下など好適範囲内のジッターを奏することになるので、ＤＶＤ−ＲＯＭ等の既存の情報記録媒体との互換性が確保される。このような第１記録層における光透過率及び光吸収率と、第２記録層における光透過率及び光吸収率との組合せは、実験的、経験的又は理論的に、若しくは理論演算或いはシミュレーション等により、設定すればよい。このように光反射率とジッターとの二つのパラメータを同時に夫々許容範囲内（より好ましくは、好適範囲内）にすることは一般には困難であるが、本発明では、例えば半透過反射膜における光反射率のみならず、第１記録層における光透過率等をも調整するので、このような許容範囲内の光反射率（より好ましくは、好適範囲内の光反射率）及びジッターを奏する組合せとなるように設定することは、比較的容易である。【００４６】
本発明の他の態様では、前記第２記録層の前記奥側に他の基板を更に備えており、少なくとも前記第１記録層が形成された基板と、少なくとも前記第２記録層が形成された前記他の基板とが貼り合わされてなる、貼り合わせ型情報記録媒体として構成されている。【００４７】
この態様によれば、第１記録層が成膜された基板と、第２記録層が成膜された他の基板とを貼り合わせることで、当該情報記録媒体を比較的容易にして製造可能となる。この場合、第１記録層と第２記録層との間に積相された中間層を更に備えてよく、該中間層は、例えば貼り合わせ用の透明接着剤が硬化してなる透明な膜である。【００４８】
但し、本発明に係る情報記録媒体は、基板の一方の面上に、第１記録層及び第２記録層がこの順番で成膜されてなってもよい。即ち、この場合、第１記録層と第２記録層との間に積相された中間層を更に備えてよく、該中間層は、第１及び第２記録層間の距離を調整するため等に設けられる、例えば透明な蒸着膜、スパッタリング膜、紫外線硬化樹脂等である。【００４９】
本発明のこのような作用及び他の利得は次に説明する実施例から更に明らかにされる。【００５０】
以上説明したように、本発明の情報記録媒体によれば、第１記録層における光透過率は、第１記録層を第２記録層と同一の材料から構成したと仮定した場合に比較して高い。従って、各記録層について、適度なパワーを有するレーザ光を用いて、情報の記録や再生が可能となり、ＤＶＤ−ＲＯＭ等の既存の情報記録媒体と互換性があるように構成することも可能となる。
【実施例】
【００５１】
（情報記録媒体）
次に図１及び図２を参照して、本発明の情報記録媒体の実施例に係る光ディスクについて詳細に説明する。【００５２】
先ず図１を参照して、本実施例に係る光ディスクの基本構造について説明する。ここに図１は、本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。【００５３】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００５４】
尚、本発明は、このような三つのエリアを有する光ディスクには特に限定されない。例えば、リードインエリア１０１やリードアウトエリア１０３が存在せずとも、以下に説明するデータ構造等の構築は可能である。また、後述するように、リードインエリア１０１やリードアウトエリア１０３は更に細分化された構成であってもよい。【００５５】
図２に示すように、本実施例に係る光ディスク１００では、複数のデータゾーン１０２等が例えば積層構造に形成される２層型の光ディスクとして構成されている。ここに、図２は、本実施例の光ディスクの記録面における部分拡大斜視図である。【００５６】
図２において、本実施例では、光ディスク１００は、ディスク状の透明基板１０６上に（図２では下側に）、情報記録面を構成する加熱等による非可逆変化記録型の第１記録層１０７（即ち、Ｌ０層）が積層され、更にその上に（図２では下側）に、半透過反射層１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への加熱等による非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００５７】
本実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００５８】
本実施例では、半透過反射膜１０８上（図２では下側）に、第２記録層２０７（即ち、Ｌ１層）が形成され、更にその上（図２では下側）に、反射膜２０８が形成されている。第２記録層２０７は、透明基板１０６、第１記録層１０７及び半透過反射膜１０８を介してレーザ光ＬＢが照射されることで、第１記録層１０７と概ね同様に、加熱等による非可逆変化記録型の記録及び再生が可能なように構成されている。このような第２記録層２０７及び反射膜２０８については、第１記録層１０７及び半透過反射膜１０８等が形成された透明基板１０６上に成膜形成してもよいし、別基板上に成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００５９】
このような二層型の光ディスク１００の記録再生時には、レーザ光LＢの集光位置をいずれの記録層に合わせるかに応じて、第１記録層１０７における記録再生が行なわれるか又は第２記録層２０７における記録再生が行われる。【００６０】
尚、本実施例に係る光ディスク１００は、図２に示した如き、２層片面、即ち、デュアルレイヤーに限定されるものではなく、３層以上の多層型の光ディスクであってもよい。３層以上の光ディスクであれば、反射膜２０８に代えて半透過反射膜を設け、更にその上（図２では下側）に、第３記録層、反射膜（又は、半透過反射膜）を順に形成すればよい。【００６１】
本実施例では特に、第１記録層１０７（即ち、Ｌ０層）におけるＬ０透過率は、第１記録層１０７を第２記録層２０７と同一の材料膜から構成したと仮定した場合に比較して高い。このために、第１記録層１０７及び第２記録層２０７は、相互に異なる成分或いは組成を有する色素膜から構成されている。係る色素膜としては、例えば、インドレニン系ヘプタメチンシアニン、アゾ系有機色素、塩形成シアニン色素を含んでなる。このような色素膜を第１記録層１０７及び第２記録層２０７として夫々利用すると、その記録時に、例えば数〜十数ｍＷ程度のパワーを有する記録用のレーザ光を照射すれば、色素膜が光を吸収し、例えば２５０℃など数百℃程度まで温度が上昇する。この結果、色素膜は溶解し、分解を起こすので、例えばレーザ光に対する反射率の低下など、光学特性が変化した記録ピット或いは記録マークが形成可能となる訳である。即ち、記録用のレーザ光の照射によって情報の記録が可能となる。【００６２】
そして、第１記録層１０７と第２記録層２０７との間で、このような色素膜における組成或いは成分を変えれば、第１記録層１０７（即ち、Ｌ０層）に係るＬ０透過率及びＬ０吸収率や、第２記録層２０７（即ち、Ｌ１層）に係るＬ１透過率及びＬ１吸収率を、適宜に変えられる。或いは、後述の如く第１記録層１０７に係る光学定数ｎ１及びｋ１と第２記録層２０７に係る光学定数ｎ２及びｋ２とを適宜に変えられる（図３から図１１参照）。従って、本実施例では、具体的には、Ｌ０透過率が、第１記録層１０７を第２記録層２０７と同一の材料膜から構成したと仮定した場合に比較して高いという条件を満たすように、これらの色素膜における組成或いは成分を設定すればよい。例えば、市販の色素膜としては、ｎ＝２．１０且つｋ＝０．０５、ｎ＝２．２５且つｋ＝０．０９、ｎ＝２．３５且つｋ＝０．１２、ｎ＝２．６８且つｋ＝０．１６等々の各種色素膜が存在しており、上記条件を満たすようなこれらにおける組成或いは成分等の設定は、経験的又は実験的に実施可能である。【００６３】
本実施例では、上述の如くＬ０透過率が第１記録層１０７を第２記録層２０７と同一の材料膜から構成したと仮定した場合に比較して高いという条件の他、Ｌ０吸収率が、第１記録層１０７を第２記録層２０７と同一の色素膜から構成したと仮定した場合に比較して低いという条件を満たすように、各色素膜における組成或いは成分が設定される。【００６４】
従って、本実施例によれば、第１記録層１０７と第２記録層２０７とを同一成分或いは同一組成の色素膜から構成した場合と比較して、第２記録層２０７に対して記録用のレーザ光を照射する際に、第１記録層１０７に吸収されるレーザ光エネルギが低減される。これに応じて、第２記録層２０７に到達するレーザ光エネルギは、増大される。よって、第２記録層２０７に記録を行なうために必要なレーザ光は、相対的に小さくて済む。他方で、第２記録層２０７から情報を再生する際、再生用のレーザ光についても、第１記録層１０７に吸収されるレーザ光エネルギは低減されるので、第２記録層２０７を再生するために必要なレーザ光は、相対的に小さくて済む。【００６５】
尚、本実施例では、第１記録層１０７及び半透過反射膜１０８からなる積層体の合計の光吸収率が、第１記録層１０７を第２記録層２０７と同一の材料膜から構成したと仮定した場合に比較して低いように構成してもよい。この場合にも、第２記録層２０７に到達するレーザ光エネルギを、第１記録層１０７及び半透過反射膜１０８における光吸収を低減することで、増大させることが可能となる。更に、半透過反射膜１０８及び反射膜２０８の光吸収率を調整可能とすることで、設計上の選択肢も増大する。【００６６】
本実施例では好ましくは、第１記録層１０７（即ち、Ｌ０層）におけるＬ０透過率及びＬ０吸収率と、第２記録層２０７（即ちＬ１層）におけるＬ１透過率及びＬ１吸収率とは、第１記録層１０７及び第２記録層２０７が夫々予め設定された好適範囲内のＬ０反射率及びＬ１反射率を奏すると共に予め設定された好適範囲内のジッターを奏する組合せとなるように設定されている。このように設定すれば、第１記録層１０７及び第２記録層２０７は夫々、例えば反射率１８〜３０％など好適範囲内のＬ０反射率及びＬ１反射率を奏することになるので且つ例えばジッターが８％以下など好適範囲内のジッターを奏することになるので、ＤＶＤ−ＲＯＭとの互換性が確保される。このような第１記録層１０７におけるＬ０透過率及びＬ０吸収率と、第２記録層２０７におけるＬ１透過率及びＬ１吸収率との組合せは、次に説明するように（図３から図１１参照）、実験的、経験的又は理論的に、若しくは理論演算或いはシミュレーション等により、設定すればよい。二つの記録層の両方について、反射率とジッターとの二種類のパラメータを夫々好適範囲内にすることは一般には困難であるが、本実施例では、例えば伝統的に行なわれているように半透過反射膜１０８における反射率のみならず、第１記録層１０７におけるＬ０透過率、Ｌ０吸収率等をも調整するので、二つの記録層の両方についてこのような好適範囲内の反射率とジッターとを奏する組合せとなるように設定することは、比較的容易である。【００６７】
尚、光ディスクを再生するための一般的な情報再生装置は、光ディスク上に汚れや傷等がついても記録されているデータを再生できるように構成されている。即ち、汚れや傷等に起因して、該汚れや傷等がついた部分の反射率が小さくなっても、そこに記録されているデータを記録することができるように構成されている。係る情報再生装置の特性を考慮すると、反射率１２％〜３０％の許容範囲内のＬ０反射率及びＬ１反射率を実現するような光ディスクであってもデータの再生等に深刻な影響を与えることはなく、本実施例における各種利益を享受することができる。但し、より好適な再生を担保するという観点からは、反射率１８％〜３０％の好適範囲内にＬ０反射率及びＬ１反射率が収まるように光ディスクを構成することがより好ましい。【００６８】
更に、本願発明者らによる実際の情報再生装置を用いた実験データに基づいて光反射率の範囲を定めれば、より好適な再生を担保することができる。係る実験データによれば、１２から１８％の間の数値を光反射率の許容範囲の下限値として定める（例えば、１６％を下限値として定める）ように構成してもよい。【００６９】
尚、第１記録層１０７及び第２記録層２０７が夫々、概ね同一のＬ０反射率及びＬ１反射率を奏するように、これらのＬ０Ｌ１透過率及びＬ０吸収率、Ｌ１吸収率は、設定されてもよい。このようにすれば、片方の記録層にレーザ光エネルギの配分が偏ることがなくなるので、許容範囲（或いは、好適範囲）として高い反射率が要求されている場合に、第１記録層１０７及び第２記録層２０７について該要求を同時に満足させやすくなる。【００７０】
以上の結果、本実施例によれば、第１記録層１０７及び第２記録層２０７のいずれについて、適度なパワーを有するレーザ光を用いて、情報の記録や再生が可能となる。しかも、当該二層型の光ディスク１００においても、ＤＶＤ−ＲＯＭと互換性があるように構成可能となる。【００７１】
加えて、本実施例において、Ｌ０透過率がＬ１透過率に比べて高く、且つＬ０吸収率がＬ１吸収率に比べて低くなるように、第１記録層１０７及び第２記録層２０７を構成する各色素膜における組成或いは成分と膜厚とが設定されてもよい。例えば、同一組成或いは成分の色素膜であっても、それらの膜厚を相互に変えることによっても、Ｌ０透過率がＬ１透過率に比べて高く、且つＬ０吸収率がＬ１吸収率に比べて低くなるように各色素膜を形成可能である。或いは、各色素膜における組成或いは成分と共にそれらの膜厚をも調整することによっても、Ｌ０透過率がＬ１透過率に比べて高く、且つＬ０吸収率がＬ１吸収率に比べて低くなるように各色素膜を形成可能である。この結果、上述した実施例の場合と同様に、第１記録層１０７及び第２記録層２０７のいずれについても、適度なパワーを有するレーザ光を用いて、情報の記録や再生が可能となり、ＤＶＤ−ＲＯＭと互換性があるように構成可能となる。【００７２】
（記録層における光学特性の設定）
次に、第１記録層１０７及び第２記録層２０７における光学特性の設定について図３から図１１を参照して説明する。ここでは、第１記録層１０７については、第１の色素膜からなるものとし、その膜厚を５６ｎｍに固定する。第２記録層２０７については、第１の色素膜とは同一又は異なる組成或いは成分を有する第２の色素膜からなるものとし、その膜厚を５６ｎｍに固定する。半透過反射膜１０８については、第１の合金膜からなるものとし、その膜厚を１０ｎｍに固定し、その光学定数（屈折率）ｎを０．１８に固定し、その光学定数（減衰係数）ｋを４．６６に固定する。更に、反射膜２０８については、半透過反射膜１０８と同じく第１の合金膜からなるものとし、その膜厚を１００ｎｍに固定し、その光学定数（屈折率）ｎを０．１８に固定し、その光学定数（減衰係数）ｋを４．６６に固定する。【００７３】
以上の条件の下で、第１記録層１０７における光学定数n及びｋと、第２記録層２０７における光学定数ｎ及びｋとを夫々変化させた場合の、第１記録層１０７におけるＬ０反射率と第２記録層におけるＬ１反射率とをシミュレーションにより求める。【００７４】
ここに「第１記録層１０７におけるＬ０反射率」とは、第１記録層１０７に隣接配置された半透過反射膜１０８と第１記録膜１０７との界面における反射に概ね依存するものであり、第１記録層１０７における複素屈折率（即ち光学定数ｎ及びｋ）と半透過反射膜１０８における複素屈折率（即ち光学定数ｎ及びｋ）との相互関係により決定される反射率をいい、特に、第１記録層１０７に対してレーザ光を集光した場合に、該照射されるレーザ光の全体光量のうち第１記録層１０７を介して反射されて（更に透明基板１０６等を介して）検出される光の光量が占める百分率或いは比率をいうものとする。第１記録層１０７により吸収され熱に変換される光の光量と、第１記録層１０７及び半透過反射膜１０８を透過する（即ち、第２記録層２０７に至る）光の光量とで、ここでの反射光の光量は、照射されたレーザ光の全光量よりも顕著に低減され、更に第１記録層１０７における反射、散乱、回折等を経て反射光として実際に検出される光の光量は、一層低減される。このため、本実施例に係る二層構造の光ディスク１００の場合、第１記録層１０７におけるＬ０反射率は、例えば０＜Ｒ１＜５０％など、１００％に比べて遥かに低い値となる。ここで、二層型ＤＶＤ−ＲＯＭの好適範囲として要求されている反射率は、１８〜３０％である。従って、ＤＶＤ−ＲＯＭとの互換性を確保するためには、以下に説明するように、Ｌ０反射率が、１８〜３０％の好適範囲内（或いは、１２〜３０％の許容範囲内）に入るように、第１記録層１０７における光学定数ｎ及びｋが規定されることになる。【００７５】
尚、半透過反射膜１０８における複素屈折率と中間層２０５における複素屈折率との相互関係に依存する反射については本シミュレーションでは考慮しないものとする。【００７６】
他方「第２記録層２０７におけるＬ１反射率」とは、第２記録層１０７に隣接配置された反射膜２０８と第２記録膜２０７との界面における反射に概ね依存するものであり、第２記録層２０７における複素屈折率（即ち光学定数ｎ及びｋ）と反射膜２０８における複素屈折率（即ち光学定数ｎ及びｋ）との相互関係により決定される反射率をいい、特に、第２記録層２０７に対してレーザ光を集光した場合に、該照射されるレーザ光の全体光量のうち第２記録層２０７を介して反射されて（更に、第１記録層１０７、半透過反射膜１０８、透明基板１０６等を介して）検出される光の光量が占める百分率或いは比率をいうものとする。第２記録層２０７により吸収され熱に変換される光の光量と、レーザ光の往路及び復路の両者において第１記録層１０７及び半透過反射膜１０８で反射又は吸収される光の光量とで、ここでの反射光の光量は、照射されたレーザ光の全光量よりも顕著に低減され、更に第２記録層２０７における反射、散乱、回折等を経て反射光として実際に検出される光の光量は、一層低減される。このため、本実施例に係る二層構造の光ディスク１００の場合、第２記録層２０７におけるＬ１反射率は、例えば０＜Ｌ１反射率＜５０％など、１００％に比べて遥かに低い値となる。ここで、二層型ＤＶＤ−ＲＯＭの好適範囲として要求されている反射率は、１８〜３０％である。従って、ＤＶＤ−ＲＯＭとの互換性を確保するためには、以下に説明するように、Ｌ１反射率が、Ｌ０反射率と同様に、１８〜３０％の好適範囲内（或いは、１２〜３０％の許容範囲内）に入るように、第１記録層１０７と第２記録層２０７とにおける光学定数ｎ及びｋが夫々規定されることになる。【００７７】
先ず図３から図５は夫々、シミュレーション結果における、第１記録層１０７（即ち、Ｌ０層）における反射率である「Ｌ０反射率」、第１記録層１０７における透過率である「Ｌ０透過率」、第２記録層２０７（即ち、Ｌ１層）における反射率である「Ｌ１反射率」を示している。【００７８】
より具体的には図３には、シミュレーション結果における、（１）Ｌ０反射率が０．０６（即ち、６％）〜０．１２（即ち、１２％）となる第１記録層１０７を構成する色素膜における光学定数ｎ、ｋの組合せの領域、（２）Ｌ０反射率が０．１２（即ち、１２％）〜０．１８（即ち、１８％）となる第１記録層１０７を構成する色素膜における光学定数ｎ、ｋの組合せの領域、（３）Ｌ０反射率が０．１８（即ち、１８％）〜０．２４（即ち、２４％）となる第１記録層１０７を構成する色素膜における光学定数ｎ、ｋの組合せの領域、（４）Ｌ０反射率が０．２４（即ち、２４％）〜０．３０（即ち、３０％）となる第１記録層１０７を構成する色素膜における光学定数ｎ、ｋの組合せの領域、（５）Ｌ０反射率が０．３０（即ち、３０％）〜０．３６（即ち、３６％）となる第１記録層１０７を構成する色素膜における光学定数ｎ、ｋの組合せの領域、及び（６）Ｌ０反射率が０．３６（即ち、３６％）〜０．４２（即ち、４２％）となる第１記録層１０７を構成する色素膜における光学定数ｎ、ｋの組合せの領域が、夫々濃度を変えた領域として示されている。【００７９】
図３によれば、Ｌ０反射率がＤＶＤ−ＲＯＭの好適範囲に入るための（即ち、反射率１８〜３０％の好適範囲に入るための）第１記録層１０７を構成する色素膜における光学定数ｎ、ｋの組合せは、概ねグラフの右上隅付近から左下へ向かう帯状の領域内の座標として特定される。【００８０】
また、Ｌ０反射率が許容範囲に入るための（即ち、反射率１２〜３０％の許容範囲に入るための）第１記録層１０７を構成する色素膜における光学定数ｎ、ｋの組み合わせは、ＤＶＤ−ＲＯＭの好適範囲に入るための第１記録層１０７を構成する色素膜における光学定数ｎ、ｋの組合せの範囲よりも更に広がる。【００８１】
図４には、シミュレーション結果における、（１）Ｌ０透過率が０．４２（即ち、４２％）〜０．４８（即ち、４８％）となる第１記録層１０７を構成する色素膜における光学定数ｎ、ｋの組合せの領域、（２）Ｌ０透過率が０．４８（即ち、４８％）〜０．５４（即ち、５４％）となる第１記録層１０７を構成する色素膜における光学定数ｎ、ｋの組合せの領域、（３）Ｌ０透過率が０．５４（即ち、５４％）〜０．６（即ち、６０％）となる第１記録層１０７を構成する色素膜における光学定数ｎ、ｋの組合せの領域、（４）Ｌ０透過率が０．６（即ち、６０％）〜０．６６（即ち、６６％）となる第１記録層１０７を構成する色素膜における光学定数ｎ、ｋの組合せの領域、及び（５）Ｌ０透過率が０．６６（即ち、６６％）〜０．７２（即ち、７２％）となる第１記録層１０７を構成する色素膜における光学定数ｎ、ｋの組合せの領域が、夫々濃度を変えた領域として示されている。【００８２】
尚、図３及び図４から明らかなように、必ずしも、Ｌ０反射率を高めると、Ｌ０透過率は低まるというわけではない。即ち、第１記録層１０７及び半透過反射膜１０８の夫々における複素屈折率Ｎ＝ｎ−ｉｋという一般式に従って、第１記録層１０７におけるＬ０反射率とＬ０透過率と（更に、Ｌ０吸収率と）の関係は規定されている。【００８３】
図５には、シミュレーション結果における、図３と同趣旨の、Ｌ１反射率を有する第２記録層２０７（即ち、Ｌ１層）を構成する色素膜における光学定数ｎ、ｋの組合せの領域が、夫々濃度を変えた領域として示されている。【００８４】
図５によれば、Ｌ１反射率がＤＶＤ−ＲＯＭの好適範囲に入るための（即ち、反射率１８〜３０％の好適範囲に入るための）第２記録層２０７を構成する色素膜における光学定数ｎ、ｋの組合せは、概ねグラフの左上隅付近から右下へ向かう帯状の領域内の座標として特定される。【００８５】
また、Ｌ１反射率が許容範囲に入るための（即ち、反射率１２〜３０％の許容範囲に入るための）第２記録層２０７を構成する色素膜における光学定数ｎ、ｋの組み合わせは、ＤＶＤ−ＲＯＭの好適範囲に入るための第２記録層２０７を構成する色素膜における光学定数ｎ、ｋの組合せの範囲よりも更に広がる。【００８６】
図６では、図３のように求められたＬ０反射率と、図５のように求められたＬ１反射率との両者が、ＤＶＤ−ＲＯＭの好適範囲に入るための（即ち、反射率１８〜３０％の好適範囲に入るための）第１記録層１０７及び第２記録層２０７を構成する色素膜における光学定数ｎ、ｋの組合せの領域が、ｎ、ｋ座標上で白抜きの領域として示されている。図６から明らかなように、第１記録層１０７及び第２記録層２０７を同一色素膜から構成する場合には、Ｌ０反射率及びＬ１反射率が１８から３０％という条件を満足させ得る光学定数ｎ，ｋの組み合わせに係る条件範囲は、かなり限られた白抜きの領域に対応する範囲に限られている。【００８７】
尚、Ｌ０反射率とＬ１反射率との両者が許容範囲に入るための（即ち、反射率１２〜３０％の許容範囲に入るための）第１記録層１０７及び第２記録層２０７を構成する色素膜における光学定数ｎ、ｋの組合せの領域は、図６上において図示するＬ０反射率とＬ１反射率との両者が、ＤＶＤ−ＲＯＭの好適範囲に入るための第１記録層１０７及び第２記録層２０７を構成する色素膜における光学定数ｎ、ｋの組合せの領域よりも広がることは言うまでもない。即ち、色素膜の選択の幅が広がる。【００８８】
次に図７から図１１は夫々、Ｌ０反射率とＬ０層の光学定数ｎ及びｋとを変化させた場合のシミュレーション結果における、第２記録層２０７の反射率である「Ｌ１反射率」を光学定数ｎ及びｋの座標軸上で示している。【００８９】
図７は、第１記録層１０７における光学定数ｎ，ｋ及びＬ０反射率を夫々、ｎ＝２．４、ｋ＝０．０２、Ｌ０反射率＝０．２１１とした場合における、図５と同趣旨のＬ１反射率を、ｎ、ｋ座標上で濃度を変えた領域で示したものである。図８は、第１記録層１０７における光学定数ｎ，ｋ及びＬ０反射率を夫々、ｎ＝２．５、ｋ＝０．０４、Ｌ０反射率＝０．２１５とした場合における、図５と同趣旨のＬ１反射率を、ｎ、ｋ座標上で、濃度を変えた領域で示したものである。図９は、第１記録層１０７における光学定数ｎ，ｋ及びＬ０反射率を夫々、ｎ＝２．６、ｋ＝０．０８、Ｌ０反射率＝０．２１１とした場合における、図５と同趣旨のＬ１反射率を、ｎ、ｋ座標上で濃度を変えた領域で示したものである。図１０は、第１記録層１０７における光学定数ｎ，ｋ及びＬ０反射率を夫々、ｎ＝２．７、ｋ＝０．１２、Ｌ０反射率＝０．２１５とした場合における、図５と同趣旨のＬ１反射率を、ｎ、ｋ座標上で濃度を変えた領域で示したものである。図１１は、第１記録層１０７における光学定数ｎ，ｋ及びＬ０反射率を夫々、ｎ＝２．８、ｋ＝０．１８、Ｌ０反射率＝０．２１４とした場合における、図５と同趣旨のＬ１反射率を、ｎ、ｋ座標上で濃度を変えた領域で示したものである。【００９０】
図５及び図７から図１１から明らかなように、同程度のＬ０反射率を採り得る条件においては、図４に示したＬ０透過率が高いほうが、Ｌ１反射率を満足し得る光学定数ｎ，ｋの組み合わせに係る条件範囲が広がっている。従って、Ｌ０透過率を高くすることで、第２記録層２０７を構成する色素膜における選択肢が多くなり、設計自由度が増大することが考察される。【００９１】
要するに、第１記録層１０７におけるＬ０透過率を高くすることによって、Ｌ０反射率及びＬ１反射率が１２から３０％（より好ましくは、１８から３０％）という条件を満足させ得る光学定数ｎ、ｋの組み合わせに係る条件範囲は、図６に示した白抜きの領域に対応する範囲よりも格段に広がる。図３及び図４のグラフ中に点で示した光学定数ｎ、ｋの組合せは、このような反射率１２から３０％という条件のうち好適範囲内に相当する反射率１８から３０％を満足させるという理想的な組合せである。図３及び図４中の、これらの点の分布から明らかなように、図７から図１１の如くＬ０透過率を高くした方が、第２記録層２０７を構成する色素膜における選択肢が多くなり、設計自由度が増大することが分かる。即ち、二つの記録層の両方について、反射率とジッターとの二つのパラメータを夫々許容範囲内（より好ましくは、好適範囲内）にすることは一般には困難であるが、本実施例によれば、例えば半透過反射膜１０８における反射率のみならず、第１記録層１０７及び第２記録層２０７における光学定数ｎ１、ｋ１、ｎ２及びｋ２をも調整することで、第１記録層１０７におけるＬ０透過率は、第１記録層１０７を第２記録層２０７と同一の材料膜から構成したと仮定した場合に比較して高く設定されるので、二つの記録層の両方について、許容範囲内の光反射率（より好ましくは、ＤＶＤ−ＲＯＭにて要求されている好適範囲内の光反射率）及びジッターを奏する組合せを得ることは、比較的容易となるのである。【００９２】
加えて、第１記録層１０７及び第２記録層２０７が夫々、概ね同一の反射率を奏するように、これらの光学定数は、設定されてもよい。即ち、各色素膜の成分或いは組成は、選択されてもよい。このようにすれば、許容範囲（より好ましくは、好適範囲）として高い反射率が要求されている場合に、第１記録層１０７及び第２記録層２０７について該要求を同時に満足させやすくなる。【００９３】
尚、このような光学定数を有する第１記録層１０７及び第２記録層２０７は、夫々、例えば、インドレニン系ヘプタメチンシアニン、アゾ系有機色素、塩形成シアニン色素を含んでなる色素膜からなる。このような色素膜における組成或いは成分を変えれば、光学定数ｎ１、ｋ１、ｎ２及びｋ２を図４から図１１に図示した範囲内で適宜変えられる。【００９４】
以上説明したように、本実施例に係る光ディスク１００によれば、各記録層について、適度なパワーを有するレーザ光を用いて、情報の記録や再生が可能となり、ＤＶＤ−ＲＯＭと互換性があるように構成することも可能となる。【００９５】
（情報記録再生装置）
次に図１２を参照して、本発明に係る情報記録装置の構成及び動作について説明する。特に、本実施例は、本発明に係る情報記録装置を前述した光ディスク用の情報記録再生装置に適用した例である。【００９６】
先ず、図１２を参照して、本発明の実施例に係る情報記録再生装置３００の構成について説明する。ここに、図１２は、本発明の実施例に係る情報記録再生装置３００のブロック図である。尚、情報記録再生装置３００は、光ディスク１００に記録データを記録する機能と、光ディスク１００に記録された記録データを再生する機能とを備える。【００９７】
図１２を参照して情報記録再生装置３００の内部構成を説明する。情報記録再生装置３００は、プロセッサ３５４の制御下で、光ディスク１００に情報を記録すると共に、光ディスク１００に記録された情報を読み取る装置である。【００９８】
情報記録再生装置３００は、光ディスク１００、スピンドルモータ３５１、光ピックアップ３５２、信号記録再生手段３５３、プロセッサ（ドライブ制御手段）３５４、メモリ３５５、データ入出力制御手段３０６、操作ボタン３１０、表示パネル３１１、及びバス３５７により構成されている。【００９９】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【０１００】
光ピックアップ３５２は光ディスク１００への記録再生を行うもので、レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１０１】
信号記録再生手段３５３は、スピンドルモータ３５１と光ピックアップ３５２を制御することで光ディスク１００に対して記録再生を行う。【０１０２】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【０１０３】
特に、本実施例では、メモリ３５５は、本発明に係る記憶手段の一例を構成し、このメモリ３５５において、Ｌ０層に加えて又は代えてＬ１層における記録可能最高速度と最適レーザパワーやストラテジー等の最適記録条件が取得される。【０１０４】
プロセッサ（ドライブ制御手段）３５４は、信号記録再生手段３５３、メモリ３５５と、バス３５７を介して接続され、各制御手段に指示を行うことで、情報記録再生装置３００全体の制御を行う。通常、プロセッサ３５４が動作するためのソフトウェアは、メモリ３５５に格納されている。【０１０５】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１０６】
操作制御手段３０７は情報記録再生装置３００に対する動作指示受付と表示を行うもので、記録又は再生といった操作ボタン３１０による指示をプロセッサ３５４に伝え、記録中や再生中といった情報記録再生装置３００の動作状態を蛍光管などの表示パネル３１１に出力する。【０１０７】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをプロセッサ３５４で実行させることでレコーダ機器としての動作を行っている。【０１０８】
本実施例では特に、光ディスク１００は、前述の如く二層型の光ディスクであって、第１記録層１０７及び第２記録層２０８は、それらの光学定数の設定等によって所望範囲内の反射率を夫々有するので且つ所望範囲内のジッターを夫々有するので、第１記録層１０７についての記録及び再生も、第２記録層２０７についての記録及び再生も、光ピックアップ３５２により適度なパワーを有するレーザ光を用いて良好に実行できる。しかも、光ディスク１００は、前述の如くＤＶＤ−ＲＯＭと互換性があるように構成されているので、既存のＤＶＤ−Ｒ等用のＤＶＤレコーダによっても、或いは既存のＤＶＤ−ＲＯＭ等用のＤＶＤプレーヤによっても、光ディスク１００を再生できるので大変便利である。【０１０９】
本発明は、上述した実施例に限られるものではなく、請求の範囲及び明細書全体から読み取れる発明の要旨或いは思想に反しない範囲で適宜変更可能であり、そのような変更を伴なう情報記録媒体もまた本発明の技術的範囲に含まれるものである。
【産業上の利用可能性】
【０１１０】
本発明に係る情報記録媒体は、例えばＤＶＤ等の情報記録媒体に利用可能である。
【図１】
2005031728.tif 000003
【図２】
2005031728.tif 000004
【図３】
2005031728.tif 000005
【図４】
2005031728.tif 000006
【図５】
2005031728.tif 000007
【図６】
2005031728.tif 000008
【図７】
2005031728.tif 000009
【図８】
2005031728.tif 000010
【図９】
2005031728.tif 000011
【図１０】
2005031728.tif 000012
【図１１】
2005031728.tif 000013
【図１２】
2005031728.tif 000014
【手続補正書】
【提出日】平成17年6月20日(2005.6.20)
【手続補正００１】
【補正対象書類名】特許請求の範囲
【補正対象項目名】請求項１
【補正方法】変更
【補正の内容】
【請求項１】基板と、
前記基板を介して記録用のレーザ光を照射することによって情報を記録するための第１記録層と、
前記レーザ光を前記基板および前記第１記録層を介して記録用のレーザ光を照射することによって情報を記録するための第２記録層と
を備えており、
前記第１及び第２記録層が夫々０．１２〜０．３０内の光反射率を奏する組み合わせとなるように、前記第１及び第２記録層は、相互に異なる材料を含んで構成されていることを特徴とする情報記録媒体。


【手続補正００２】
【補正対象書類名】特許請求の範囲
【補正対象項目名】請求項２
【補正方法】変更
【補正の内容】
【請求項２】前記第１記録層は、前記第１記録層を前記第２記録層と同一の材料から構成したと仮定した場合の光透過率に比較して、高い光透過率を持つ材料を含んでなることを特徴とする請求の範囲第１項に記載の情報記録媒体。




【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
基板と、
前記基板を介して記録用のレーザ光を照射することによって情報を記録するための第１記録層と、
前記レーザ光を前記基板および前記第１記録層を介して記録用のレーザ光を照射することによって情報を記録するための第２記録層と
を備えており、
前記第１記録層及び前記第２記録層が夫々０．１２から０．３０内の光反射率を奏する組み合わせとなるように、前記第１記録層及び前記第２記録層は相互に異なる材料を含んで構成され、前記第１記録層は、前記第２記録層の光透過率に比べて高い光透過率を持つ材料を含んでなることを特徴とする情報記録媒体。
【請求項２】
前記第１及び第２記録層は、前記材料として、相互に異なる色素膜を含んで構成されていることを特徴とする請求項１に記載の情報記録媒体。
【請求項３】
前記第１記録層における前記光透過率及び光吸収率と前記第２記録層における前記光透過率及び光吸収率とは、前記第１及び第２記録層が夫々０．１２〜０．３０内の光反射率を奏する組合せとなるように設定されていることを特徴とする請求項１に記載の情報記録媒体。
【請求項４】
前記第１記録層における前記光透過率及び光吸収率と前記第２記録層における前記光透過率及び光吸収率とは、前記第１及び第２記録層が夫々０．１８〜０．３０内の光反射率を奏する組合せとなるように設定されていることを特徴とする請求項１に記載の情報記録媒体。
【請求項５】
前記第１記録層は、前記第１記録層を前記第２記録層と同一の材料から構成したと仮定した場合の光吸収率に比較して、低い光吸収率を持つ材料を含んでなることを特徴とする請求項１に記載の情報記録媒体。
【請求項６】
前記第１記録層における複素屈折率をＮ１＝ｎ１−ｉｋ１（但し、ｎ１及びｋ１は前記第１記録層における光学定数）とし、前記第２記録層における複素屈折率をＮ２＝ｎ２−ｉｋ２（但し、ｎ２及びｋ２は前記第２記録層における光学定数）とするとき、
前記ｎ１、ｋ１、ｎ２及びｋ２は、前記第１及び第２記録層が夫々、０．１２〜０．３０内の光反射率を奏する組合せとなるように設定されていることを特徴とする請求項１に記載の情報記録媒体。
【請求項７】
前記第１記録層における複素屈折率をＮ１＝ｎ１−ｉｋ１（但し、ｎ１及びｋ１は前記第１記録層における光学定数）とし、前記第２記録層における複素屈折率をＮ２＝ｎ２−ｉｋ２（但し、ｎ２及びｋ２は前記第２記録層における光学定数）とするとき、
前記ｎ１、ｋ１、ｎ２及びｋ２は、前記第１及び第２記録層が夫々、０．１８〜０．３０内の光反射率を奏する組合せとなるように設定されていることを特徴とする請求項１に記載の情報記録媒体。
【国際調査報告】
2005031728.tif 000015
2005031728.tif 000016